(57)【要約】【課題】光ファイバをハウジングに対して強固に固定することを可能としたファイバヘッドを提供する。【解決手段】第１反射部材４１は、各々の内側面４４ａ，４５ａが互いに対向する第１及び第２保持部４４，４５と、第１及び第２保持部４４，４５の間に形成され、厚さ方向Ｚ（第１光ファイバ１１の軸直交方向）に貫通するスリット状をなすファイバ挿通部４６とを有している。そして、各保持部４４，４５における外側面４４ｂ，４５ｂはハウジング本体２２に圧接されており、第１及び第２保持部４４，４５は、ハウジング本体２２からの圧接の力によって、ファイバ挿通部４６に挿通された第１光ファイバ１１の端部を挟持している。【選択図】図４
2019012021.tif 000002
【特許請求の範囲】
【請求項１】
光ファイバと、
前記光ファイバが接続され、光が通る窓部を有するハウジングと、
前記ハウジングに収容されており、前記光ファイバの端部が挿通され前記光ファイバから出射された光を反射して前記窓部に導く、又は前記窓部から入った光を反射して前記光ファイバに導くための反射部材と
を備え、
前記反射部材は、光を反射させる内部反射面を有する本体部と、前記本体部から互いに同方向に延出され、各々の内側面が互いに対向する第１及び第２保持部と、前記第１及び第２保持部の間に形成され、該第１及び第２保持部の延出先端の間に開放端を有するスリット状のファイバ挿通部とを備え、
前記ハウジングは、前記第１及び第２保持部の延出先端面と当接する当接面を有し、
前記第１及び第２保持部における前記内側面とは反対側の外側面は、前記ハウジングに圧接されており、
前記第１及び第２保持部は、前記ハウジングからの圧接の力によって、前記ファイバ挿通部に挿通された前記光ファイバの端部を挟持していることを特徴とするファイバヘッド。
【請求項２】
請求項１に記載のファイバヘッドにおいて、
前記ハウジングは、前記光ファイバを収容し該光ファイバを所定の経路に沿って保持するファイバ収容部を備え、
前記ファイバ収容部には、前記光ファイバの外周面に係止される係止凸部が設けられていることを特徴とするファイバヘッド。
【請求項３】
請求項２に記載のファイバヘッドにおいて、
前記ファイバ収容部は、前記光ファイバを屈曲させる屈曲部を有し、
前記係止凸部は、前記屈曲部に設けられていることを特徴とするファイバヘッド。
【請求項４】
請求項１〜３のいずれか１項に記載のファイバヘッドにおいて、
前記反射部材を収容する反射部材収容部には、前記第１保持部の前記外側面と圧接する平面状の基準面と、前記第２保持部の前記外側面と圧接する突起部とが設けられていることを特徴とするファイバヘッド。
【請求項５】
請求項４に記載のファイバヘッドにおいて、
前記基準面は、前記反射部材における前記窓部と対向する側の側面と当接することを特徴とするファイバヘッド。
【請求項６】
請求項１〜５のいずれか１項に記載のファイバヘッドにおいて、
前記第１及び第２保持部の前記内側面には、前記ファイバ挿通部に挿通された前記光ファイバの軸線を中心とする円弧状に窪む保持凹部が設けられていることを特徴とするファイバヘッド。
【請求項７】
請求項６に記載のファイバヘッドにおいて、
前記第１及び第２保持部の一方における前記保持凹部には、前記光ファイバの前記軸線に向かって突出し前記光ファイバと圧接される圧接凸部が設けられていることを特徴とするファイバヘッド。
【請求項８】
請求項７に記載のファイバヘッドにおいて、
前記反射部材を収容する反射部材収容部には、前記反射部材における前記窓部と対向する側の側面の一部を構成する前記第１保持部の前記外側面と圧接する平面状の基準面と、前記第２保持部の前記外側面と圧接する突起部とが設けられ、
前記圧接凸部は、前記第２保持部の前記保持凹部に設けられていることを特徴とするファイバヘッド。
【請求項９】
請求項１〜８のいずれか１項に記載のファイバヘッドにおいて、
前記ファイバ挿通部における前記開放端とは反対側の端部には、前記光ファイバの先端部が挿入され該光ファイバの先端部の全周を囲う先端挿入穴が設けられていることを特徴とするファイバヘッド。
【請求項１０】
請求項１〜９のいずれか１項に記載のファイバヘッドにおいて、
前記光ファイバ及び前記反射部材は、投光用及び受光用でそれぞれ備えられ、
投光用の前記光ファイバ及び前記反射部材と、受光用の前記光ファイバ及び前記反射部材とが１つの前記ハウジングに組み付けられていることを特徴とするファイバヘッド。
【請求項１１】
請求項１０に記載のファイバヘッドにおいて、
投光用の前記反射部材及び該反射部材に対応する投光用の前記窓部と、受光用の前記反射部材及び該反射部材に対応する受光用の前記窓部とが互いに対向するように配置され、
投光用の前記光ファイバから出射され投光用の前記反射部材で反射された光は、投光用の前記窓部から前記ハウジングの外部に出射されて受光用の前記窓部から前記ハウジングの内部に入り、その光が受光用の前記反射部材で反射されて受光用の前記光ファイバに導かれるように構成されたことを特徴とするファイバヘッド。
【請求項１２】
請求項１〜１１のいずれか１項に記載のファイバヘッドと、
前記ファイバヘッドと前記光ファイバを介して接続され、光を投光する投光部、光を受光する受光部、及び前記受光部での受光量に基づいて被検出物を検出する制御回路を有するコントローラ部と
を備えたことを特徴とするファイバセンサ。
【発明の詳細な説明】
【技術分野】
【０００１】
本発明は、被検出物の有無を検出するためのファイバセンサ及びファイバセンサが備えるファイバヘッドに関するものである。
【背景技術】
【０００２】
例えば、特許文献１に開示されるファイバヘッドは、投光用及び受光用の一対の光ファイバを介してコントローラ部と接続されている。コントローラ部は、投光部及び受光部を備えている。ファイバヘッドのハウジングには、各光ファイバの先端部が保持されている。また、ファイバヘッドのハウジングは、投光用及び受光用の光ファイバにそれぞれ対応する投光窓及び受光窓を有している。コントローラ部の投光部から出力される光は、投光用の光ファイバを通じてファイバヘッドのハウジングの投光窓から出射され、同ハウジングの受光窓に入る。そして、受光窓に入った光は、受光用の光ファイバを介してコントローラ部の受光部で検知され、その受光部における受光レベルに基づいて被検出物の有無が検出されるようになっている。
【先行技術文献】
【特許文献】
【０００３】
【特許文献１】特開平７−２０３４１号公報
【発明の概要】
【発明が解決しようとする課題】
【０００４】
上記のようなファイバヘッドでは、光ファイバをハウジングに対して強固に固定して、ハウジングからの光ファイバの抜けを抑制できる構成が求められている。しかしながら、例えば、光ファイバをハウジングに対して接着剤を用いて固定する場合には、ファイバヘッドの小型化に伴い接着剤の塗布量の調整が難しくなるため、小型化には不利となる。このため、接着剤を用いずに光ファイバを強固に固定することが可能な構成が望まれている。
【０００５】
本発明は、上記課題を解決するためになされたものであって、その目的は、光ファイバをハウジングに対して強固に固定することを可能としたファイバヘッド及びファイバセンサを提供することにある。
【課題を解決するための手段】
【０００６】
上記課題を解決するファイバヘッドは、光ファイバと、前記光ファイバが接続され、光が通る窓部を有するハウジングと、前記ハウジングに収容されており、前記光ファイバの端部が挿通され前記光ファイバから出射された光を反射して前記窓部に導く、又は前記窓部から入った光を反射して前記光ファイバに導くための反射部材とを備え、前記反射部材は、光を反射させる内部反射面を有する本体部と、前記本体部から互いに同方向に延出され、各々の内側面が互いに対向する第１及び第２保持部と、前記第１及び第２保持部の間に形成され、該第１及び第２保持部の延出先端の間に開放端を有するスリット状のファイバ挿通部とを備え、前記ハウジングは、前記第１及び第２保持部の延出先端面と当接する当接面を有し、前記第１及び第２保持部における前記内側面とは反対側の外側面は、前記ハウジングに圧接されており、前記第１及び第２保持部は、前記ハウジングからの圧接の力によって、前記ファイバ挿通部に挿通された前記光ファイバの端部を挟持している。
【０００７】
この構成によれば、ハウジングからの圧接の力を受ける反射部材の第１及び第２保持部によって、光ファイバの端部が挟持される。このため、光ファイバを反射部材を介してハウジングに強固に固定することが可能となり、その結果、ハウジングからの光ファイバの抜けを抑制できる。
【０００８】
上記ファイバヘッドにおいて、前記ハウジングは、前記光ファイバを収容し該光ファイバを所定の経路に沿って保持するファイバ収容部を備え、前記ファイバ収容部には、前記光ファイバの外周面に係止される係止凸部が設けられている。
【０００９】
この構成によれば、ファイバ収容部に設けられた係止凸部が光ファイバの外周面に係止されるため、ハウジングからの光ファイバの抜けをより一層抑制できる。
上記ファイバヘッドにおいて、前記ファイバ収容部は、前記光ファイバを屈曲させる屈曲部を有し、前記係止凸部は、前記屈曲部に設けられている。
【００１０】
この構成によれば、ファイバ収容部の屈曲部に係止凸部が設けられるため、ハウジングからの光ファイバの抜けをより好適に抑制できる。また、係止凸部がファイバ収容部の屈曲部に設けられることで、光ファイバに対して係止凸部を深く係止させなくても、光ファイバの抜けに対する係止力（保持力）を確保することが可能となる。このため、係止凸部による光ファイバの変形量を小さく抑えて光ファイバを通る光の減衰を抑えつつ、光ファイバの抜けを抑制できる。
【００１１】
上記ファイバヘッドにおいて、前記反射部材を収容する反射部材収容部には、前記第１保持部の前記外側面と圧接する平面状の基準面と、前記第２保持部の前記外側面と圧接する突起部とが設けられている。
【００１２】
この構成によれば、反射部材を反射部材収容部に収容する際に、第１保持部の外側面を平面状の基準面に突き当てつつ、第２保持部の外側面を突起部に圧接させることで、反射部材を反射部材収容部に好適に収容（圧入）することができる。
【００１３】
上記ファイバヘッドにおいて、前記基準面は、前記反射部材における前記窓部と対向する側の側面と当接する。
この構成によれば、反射部材及び反射部材収容部の寸法誤差は該収容部の突起部にて吸収され、基準面と当接する反射部材の側面の位置が前記寸法誤差によってずれないように構成される。そして、本構成では、反射部材における窓部と対向する側の側面（光が通る側の側面）が基準面と当接するように構成されるため、当該側面を基準面で位置決めできる。
【００１４】
上記ファイバヘッドにおいて、前記第１及び第２保持部の前記内側面には、前記ファイバ挿通部に挿通された前記光ファイバの軸線を中心とする円弧状に窪む保持凹部が設けられている。
【００１５】
この構成によれば、保持凹部によって光ファイバを安定して保持することができる。
上記ファイバヘッドにおいて、前記第１及び第２保持部の一方における前記保持凹部には、前記光ファイバの前記軸線に向かって突出し前記光ファイバと圧接される圧接凸部が設けられている。
【００１６】
この構成によれば、各保持部によって光ファイバをより強固に挟持することができる。
上記ファイバヘッドにおいて、前記反射部材を収容する反射部材収容部には、前記反射部材における前記窓部と対向する側の側面の一部を構成する前記第１保持部の前記外側面と圧接する平面状の基準面と、前記第２保持部の前記外側面と圧接する突起部とが設けられ、前記圧接凸部は、前記第２保持部の前記保持凹部に設けられている。
【００１７】
この構成によれば、反射部材を反射部材収容部に収容する際に、第１保持部の外側面を平面状の基準面に突き当てつつ、第２保持部の外側面を突起部に圧接させることで、反射部材を反射部材収容部に好適に収容（圧入）することができる。また、反射部材及び反射部材収容部の寸法誤差は該収容部の突起部にて吸収され、基準面と当接する反射部材の側面の位置が前記寸法誤差によってずれないように構成される。そして、本構成では、反射部材における窓部と対向する側の側面（光が通る側の側面）が基準面と当接するように構成されるため、当該側面を基準面で位置決めできる。また、第２保持部の保持凹部に圧接凸部が設けられるため、圧接凸部によって光ファイバが基準面側（第１保持部側）に押し付けられ、その結果、光ファイバを基準面に対して位置決めすることができる。
【００１８】
上記ファイバヘッドにおいて、前記ファイバ挿通部における前記開放端とは反対側の端部には、前記光ファイバの先端部が挿入され該光ファイバの先端部の全周を囲う先端挿入穴が設けられている。
【００１９】
この構成によれば、反射部材における光ファイバの先端を保持する部位がスリット状ではなく、光ファイバの全周を囲う穴として構成されるため、スリット状のファイバ挿通部の両側にて延出される第１及び第２保持部の根元の破損を抑制することができる。
【００２０】
上記ファイバヘッドにおいて、前記光ファイバ及び前記反射部材は、投光用及び受光用でそれぞれ備えられ、投光用の前記光ファイバ及び前記反射部材と、受光用の前記光ファイバ及び前記反射部材とが１つの前記ハウジングに組み付けられている。
【００２１】
この構成によれば、投光及び受光を１つのファイバヘッドで行うタイプのものにおいて、ハウジングからの光ファイバの抜けを抑制できる。
上記ファイバヘッドにおいて、投光用の前記反射部材及び該反射部材に対応する投光用の前記窓部と、受光用の前記反射部材及び該反射部材に対応する受光用の前記窓部とが互いに対向するように配置され、投光用の前記光ファイバから出射され投光用の前記反射部材で反射された光は、投光用の前記窓部から前記ハウジングの外部に出射されて受光用の前記窓部から前記ハウジングの内部に入り、その光が受光用の前記反射部材で反射されて受光用の前記光ファイバに導かれるように構成されている。
【００２２】
この構成によれば、所謂サイドビュータイプのファイバヘッドにおいて、ハウジングからの光ファイバの抜けを抑制できる。
上記課題を解決するファイバセンサは、上記記載のファイバヘッドと、前記ファイバヘッドと前記光ファイバを介して接続され、光を投光する投光部、光を受光する受光部、及び前記受光部での受光量に基づいて被検出物を検出する制御回路を有するコントローラ部とを備えている。
【００２３】
この構成によれば、光ファイバをファイバヘッドのハウジングに対して強固に固定することを可能としたファイバセンサを提供できる。
【発明の効果】
【００２４】
本発明のファイバヘッド及びファイバセンサによれば、光ファイバをハウジングに対して強固に固定することが可能となる。
【図面の簡単な説明】
【００２５】
【図１】実施形態のファイバセンサの概略構成図。
【図２】同形態のファイバヘッドの斜視図。
【図３】同形態のファイバヘッドの分解斜視図。
【図４】（ａ）同形態におけるカバーを外した状態のファイバヘッドの平面図、（ｂ）同図（ａ）の部分拡大図。
【図５】（ａ）同形態における第１反射部材の背面図、（ｂ）同図（ａ）における５ｂ−５ｂ線断面図。
【図６】（ａ）同形態のファイバヘッドの平面図、（ｂ）同図（ａ）における６ｂ−６ｂ線断面図。
【図７】同形態におけるファイバヘッドのハウジングの斜視図。
【図８】同形態におけるファイバヘッドのハウジングの正面図。
【図９】同形態におけるファイバヘッドのハウジングの平面図。
【図１０】同形態におけるファイバヘッドのハウジングの底面図。
【図１１】同形態におけるファイバヘッドのハウジングの右側面図。
【図１２】同形態におけるファイバヘッドのハウジングの背面図。
【発明を実施するための形態】
【００２６】
以下、ファイバヘッド及びファイバセンサの一実施形態について、図１〜図１２に従って説明する。なお、以下の説明では、互いに直交する三方（図中、Ｘ，Ｙ，Ｚ）をそれぞれ、ファイバヘッドの前後方向Ｘ、幅方向Ｙ及び厚さ方向Ｚとして説明する。
【００２７】
図１に示すように、本実施形態のファイバセンサは、コントローラ部１０と、コントローラ部１０に基端部が接続された一対の光ファイバ（投光用の第１光ファイバ１１及び受光用の第２光ファイバ１２）と、光ファイバ１１，１２の先端部に設けられたファイバヘッド２０とを備えている。
【００２８】
コントローラ部１０は、投光部１３、投光回路１４、受光部１５、受光回路１６、制御回路１７、表示灯１８及び出力回路１９を備えている。投光回路１４、受光回路１６、表示灯１８及び出力回路１９の各々は、制御回路１７と接続されている。
【００２９】
投光部１３は例えば、ＬＥＤやレーザダイオードなどの投光素子からなる。投光回路１４は、制御回路１７からの指令に基づいて投光部１３から光を出射させる。
受光部１５は例えば、フォトトランジスタなどの光電素子からなる。受光回路１６は、受光部１５の受光量の応じたレベルの受光信号を制御回路１７に出力する。
【００３０】
制御回路１７は、受光回路１６から出力される受光信号のレベルを所定の閾値と比較することで、被検出物Ｗの有無を検出する。また、制御回路１７は、検出結果に応じて表示灯１８を点灯／消灯させる。また、制御回路１７は、検出結果に応じた信号を出力回路１９を介して外部に出力する。
【００３１】
図２及び図３に示すように、ファイバヘッド２０は、外形がコの字型をなすサイドビュータイプの透過型ファイバヘッドである。ファイバヘッド２０は、ハウジング２１、第１反射部材４１、第２反射部材４２、第１光ファイバ１１及び第２光ファイバ１２を備えている。なお、ファイバヘッド２０は、その外殻を構成するハウジング２１及び該ハウジング２１の内部部品が、幅方向Ｙの中心線Ｃに対して線対称をなすように構成されている（図４（ａ）参照）。
【００３２】
ハウジング２１は、ハウジング本体２２とカバー２３とを備えている。ハウジング本体２２及びカバー２３は共に合成樹脂からなる。ハウジング本体２２は、厚さ方向Ｚの一方側に開口する形状をなし、該開口２２ａがカバー２３にて閉塞されている。なお、以下では、説明の便宜上、ハウジング本体２２の開口２２ａの開口方向（厚さ方向Ｚの一方）を上方として説明する。
【００３３】
ハウジング本体２２は、略四角箱状をなすベース部２４から一対の延出部（第１延出部２５及び第２延出部２６）が前後方向Ｘの前方に延出する形状をなしている。換言すると、ハウジング本体２２は、前端中央部が切り欠かれたコの字型形状をなしている。ベース部２４は、厚さ方向Ｚに延びる円筒状をなす一対の固定部２７を有している。各固定部２７の一部（およそ半分）は、ベース部２４の幅方向Ｙの両側面から幅方向Ｙ外側に円弧状に突出するように設けられている。
【００３４】
各固定部２７の中心には、厚さ方向Ｚに貫通する一対のボルト挿通孔２７ａが設けられている。各ボルト挿通孔２７ａは、厚さ方向Ｚに対して垂直な断面形状が円形をなしている。そして、各ボルト挿通孔２７ａには、ファイバヘッド２０を設置箇所に固定するための図示しないボルトが挿通される。なお、幅方向Ｙにおける各ボルト挿通孔２７ａ（各固定部２７）の形成位置は、該各ボルト挿通孔２７ａの前後方向Ｘへの投影が、各延出部２５の幅方向Ｙの外側面、及びベース部２４の幅方向Ｙの側面と重なるように設定されている。
【００３５】
図３及び図４（ａ）に示すように、ハウジング本体２２は、各光ファイバ１１，１２の配索経路をそれぞれ構成する一対のファイバ収容溝（第１ファイバ収容溝３１及び第２ファイバ収容溝３２）と、第１反射部材４１を収容する第１収容部３３と、第２反射部材４２を収容する第２収容部３４とを有している。各ファイバ収容溝３１，３２及び各収容部３３，３４は、ハウジング本体２２の開口２２ａと同方向（上方）に開口している。また、第１収容部３３は第１延出部２５に形成され、第２収容部３４は第２延出部２６に形成されている。
【００３６】
各ファイバ収容溝３１，３２の後端部は、ハウジング本体２２の前後方向Ｘの後端面における幅方向Ｙの中央寄りの位置に設けられている。各ファイバ収容溝３１，３２に収容された各光ファイバ１１，１２は、各ファイバ収容溝３１，３２の後端部からファイバヘッド２０の後方側に導出されてコントローラ部１０と接続されている。また、各ファイバ収容溝３１，３２は、後端部からハウジング本体２２の前端側にかけて、各固定部２７の間を通って幅方向Ｙに屈曲しながら各延出部２５，２６まで延びている。そして、第１ファイバ収容溝３１の前端部は第１収容部３３の後端部と連通され、第２ファイバ収容溝３２の前端部は第２収容部３４の後端部と連通されている。
【００３７】
図４（ａ）に示すように、各ファイバ収容溝３１，３２は、後端部から前後方向Ｘに沿って延びる直線部３５と、該直線部３５の前端部から前後方向Ｘに対して傾斜しつつ幅方向Ｙの外側に延びる傾斜部３６とを有する。また、各ファイバ収容溝３１，３２は、直線部３５から傾斜部３６に移行する部分に第１屈曲部３７を有し、傾斜部３６の前端部において前後方向Ｘに沿う方向に屈曲する第２屈曲部３８を有している。
【００３８】
各ファイバ収容溝３１，３２における幅方向Ｙに互いに対向する内壁面には、各ファイバ収容溝３１，３２に収容される各光ファイバ１１，１２と圧接する複数の係止凸部３５ａ，３６ａ，３７ａ，３８ａ，３８ｂが形成されている。詳述すると、直線部３５における互いに対向する内壁面の各々には、前後方向Ｘにおいて互いに異なる位置に係止凸部３５ａが形成されている。また、第１屈曲部３７における屈曲内側の内壁面に係止凸部３７ａが形成されている。また、傾斜部３６の内壁面に係止凸部３６ａが形成されている。また、第２屈曲部３８の屈曲内側の内壁面に係止凸部３８ａが形成され、同第２屈曲部３８の屈曲外側の内壁面に係止凸部３８ｂが形成されている。
【００３９】
このような構成によれば、各光ファイバ１１，１２の被覆に各係止凸部３５ａ，３６ａ，３７ａ，３８ａ，３８ｂが引っ掛かることで、各ファイバ収容溝３１，３２の後端部から各光ファイバ１１，１２が抜け出てしまうことを抑制することができる。また、第１屈曲部３７及び第２屈曲部３８の屈曲内側の内壁面に係止凸部３７ａ，３８ａがそれぞれ設けられることで、各ファイバ収容溝３１，３２の後端部から各光ファイバ１１，１２を引っ張って抜くのに必要な力（引っ張り強度）を向上させることができ、それにより、各光ファイバ１１，１２の抜けをより好適に抑制できるようになっている。
【００４０】
次に、第１及び第２収容部３３，３４にそれぞれ収容される第１及び第２反射部材４１，４２について説明する。
第１及び第２反射部材４１，４２は、光を透過可能な透明な材料からなる。第１及び第２反射部材４１，４２には、第１及び第２光ファイバ１１，１２の先端部がそれぞれ接続されている。そして、第１光ファイバ１１の先端部から出射される光は、第１反射部材４１での内部反射によって光路が変更されて、ハウジング本体２２の第１延出部２５に形成された投光窓２５ａから出射される。また、ハウジング本体２２の第２延出部２６に形成された受光窓２６ａを介して第２反射部材４２に入光する光は、該第２反射部材４２での内部反射によって光路が変更されて、第２光ファイバ１２の先端部に入光するようになっている。なお、投光窓２５ａ及び受光窓２６ａは、幅方向Ｙにおいて互いに対向している。
【００４１】
第１及び第２反射部材４１，４２は互いに同一形状をなし、ファイバヘッド２０（ハウジング２１）の前記中心線Ｃに対して線対称をなすように配置される。従って、以下では、第１反射部材４１の詳細について説明し、第２反射部材４２の詳細については説明を省略する。
【００４２】
図４（ｂ）及び図５（ａ）（ｂ）に示すように、第１反射部材４１は、幅方向Ｙに対して垂直をなす一対の幅方向側面（第１側面４１ａ及び第２側面４１ｂ）と、厚さ方向Ｚに対して垂直をなす一対の側面（上面４１ｃ及び下面４１ｄ）とを有し、前後方向Ｘに長い略四角柱状をなしている。なお、第１反射部材４１の幅方向Ｙ内側の側面を第１側面４１ａとし、幅方向Ｙ外側の側面を第２側面４１ｂとしている。
【００４３】
また、図５（ｂ）に示すように、第１反射部材４１の前端部には、前端に向かうほど幅方向Ｙ内側に傾斜する内部反射面４１ｅが形成されている。内部反射面４１ｅと第１側面４１ａとの間に形成された前端面４１ｆは、前後方向Ｘに対して垂直（つまり第１側面４１ａに対して垂直）をなしている。
【００４４】
また、第１反射部材４１は、該第１反射部材４１の前端部を構成し、内部反射面４１ｅを有する本体部４３と、該本体部４３から前後方向Ｘの後方側に延びる一対の保持部（第１保持部４４及び第２保持部４５）を有している。第１及び第２保持部４４，４５の延出先端部（後端部）は、開放端部として構成されている。また、第１保持部４４と第２保持部４５とは、幅方向Ｙに互いに対向している。なお、当該一対の保持部のうち、幅方向Ｙ内側の保持部を第１保持部４４とし、幅方向Ｙ外側の保持部を第２保持部４５としている。
【００４５】
第１保持部４４の幅方向Ｙの内側面４４ａと、第２保持部４５の幅方向Ｙの内側面４５ａとは、幅方向Ｙに対向している。第１保持部４４の幅方向Ｙの外側面４４ｂ（内側面４４ａの反対側の側面）は、第１反射部材４１の第１側面４１ａの一部を構成している。第２保持部４５の幅方向Ｙの外側面４５ｂ（内側面４５ａの反対側の側面）は、第１反射部材４１の第２側面４１ｂの一部を構成している。なお、本実施形態の第２保持部４５は、前後方向Ｘの後端側に向かうにつれて幅方向Ｙの寸法が大きくなるように形成されている。そして、第１反射部材４１を第１収容部３３に組み付ける前のフリーの状態では、第２保持部４５の外側面４５ｂが後端側に向かうにつれて幅方向Ｙの外側にやや湾曲するように形成されている（図５（ｂ）参照）。
【００４６】
図４（ｂ）及び図５（ｂ）に示すように、第１保持部４４と第２保持部４５の間には、第１光ファイバ１１の軸方向（光軸方向であって、前後方向Ｘ）と直交する厚さ方向Ｚに貫通するスリット状をなすファイバ挿通部４６が形成されている。ファイバ挿通部４６は、第１反射部材４１の後端面における幅方向Ｙの中央部から前後方向Ｘの前方側に向かって直線状に形成されている。このスリット状（切欠状）のファイバ挿通部４６が形成されることにより、第１保持部４４及び第２保持部４５が幅方向Ｙに撓みやすくなっている。
【００４７】
図５（ａ）に示すように、ファイバ挿通部４６は、第１保持部４４の内側面４４ａに凹設された第１保持凹部４６ａと、第２保持部４５の内側面４５ａに凹設された第２保持凹部４６ｂとを備えている。第１保持凹部４６ａ及び第２保持凹部４６ｂの各々の内面は、前後方向Ｘ視において、ファイバ挿通部４６に挿通される第１光ファイバ１１の軸線Ｌを中心とする円弧状をなしている。なお、第２保持凹部４６ｂの円弧面（内面）の径は、第１保持凹部４６ａの円弧面（内面）の径よりも大きく設定されている。
【００４８】
また、第２保持凹部４６ｂには、その円弧面（内面）から径方向内側に前記軸線Ｌに向かって突出する圧接凸部４６ｃが形成されている。圧接凸部４６ｃの内側面は、径方向内側に凸となるように湾曲する曲面をなしている。また、圧接凸部４６ｃの後端側端部には、前後方向Ｘの後方に向かうにつれて拡径するテーパ部４６ｄが形成されている（図５（ｂ）参照）。
【００４９】
図５（ａ）（ｂ）に示すように、ファイバ挿通部４６の前後方向Ｘの前端部（最奥部）には、第１光ファイバ１１の先端部が挿入される先端挿入穴４７が形成されている。先端挿入穴４７は、前後方向Ｘ視で前記軸線Ｌを中心とする円形をなす穴であり、その内径は第１光ファイバ１１の外径と略同等に設定されている。また、先端挿入穴４７の内径は、第１保持凹部４６ａの円弧面（内面）の径と等しく設定されている。また、図５（ｂ）に示すように、前後方向Ｘにおいて、第１反射部材４１の後端面から先端挿入穴４７の底面（前後方向Ｘの前方側端面）までの長さＤ１は、第１反射部材４１の後端面からファイバ挿通部４６の最奥部（前端部）までの長さＤ２よりも長く設定されている。すなわち、前記長さＤ１は、第１及び第２保持凹部４６ａ，４６ｂ及び先端挿入穴４７で構成されるファイバ挿通穴の前後方向Ｘの長さであり、該ファイバ挿通穴の長さ（長さＤ１）がスリット状のファイバ挿通部４６の長さＤ２よりも長く構成されている。なお、先端挿入穴４７の最奥部（前後方向Ｘの前端部）は、前後方向Ｘ（第１光ファイバ１１の軸線Ｌ方向）に対して垂直な平面となっている。
【００５０】
次に、第１及び第２反射部材４１，４２をそれぞれ収容する第１及び第２収容部３３，３４について説明する。なお、第１収容部３３と第２収容部３４の形状は、幅方向Ｙの中心線Ｃに対して線対称をなすため、以下では、第１収容部３３の詳細について説明し、第２収容部３４の詳細については説明を省略する。
【００５１】
図４（ｂ）に示すように、第１収容部３３の内側面は、厚さ方向Ｚ視において、第１反射部材４１の外形に倣った形状をなしている。第１収容部３３の幅方向Ｙ内側の内側面には、幅方向Ｙに対して垂直な平面状をなす第１基準面５１が形成されている。第１基準面５１は、第１保持部４４の外側面４４ｂを含む第１反射部材４１の第１側面４１ａ（幅方向Ｙの内側面）と当接している。また、第１収容部３３の前後方向Ｘの後方側端面は、前後方向Ｘに対して垂直な平面状をなす第２基準面５２として構成されている。第２基準面５２は、第１反射部材４１の後端面（第１及び第２保持部４４，４５の後端面（延出先端面））と当接している。
【００５２】
また、第１収容部３３の幅方向Ｙ外側の内側面には、第１収容部３３の内部側（幅方向Ｙ内側）に突出する２つの突起部５３ａ，５３ｂが形成されている。各突起部５３ａ，５３ｂは、第１反射部材４１の第２側面４１ｂ（幅方向Ｙの外側面）と当接している。より詳しくは、一方の突起部５３ａは、第２保持部４５の後端部付近における該第２保持部４５の外側面４５ｂと当接している。また、第１収容部３３の前後方向Ｘの前方側の端面には、第１収容部３３の内部側（前後方向Ｘの後方側）に突出する突起部５３ｃが形成されている。この突起部５３ｃは、第１反射部材４１の前端面４１ｆと当接している。
【００５３】
第１収容部３３の幅方向Ｙ内側の壁部には、幅方向Ｙに貫通する前記投光窓２５ａが形成されている。第１光ファイバ１１の先端部から前方に出射された光（図４（ｂ）における１点鎖線を参照）は、第１反射部材４１の本体部４３の内部を通り、内部反射面４１ｅにて幅方向Ｙ内側に向かって直角に反射された後、投光窓２５ａからハウジング本体２２の外部に出射されるようになっている。
【００５４】
次に、ハウジング本体２２に対する各光ファイバ１１，１２及び各反射部材４１，４２の組付態様について、第１光ファイバ１１及び第１反射部材４１を例にとって説明する。
まず、第１光ファイバ１１の先端部を、第１反射部材４１の後端部からファイバ挿通部４６（各保持凹部４６ａ，４６ｂ）に挿入する挿入工程を行う。この第１光ファイバ１１の挿入に伴い、第１反射部材４１の各保持部４４，４５が幅方向Ｙ外側に若干撓んで拡がるため、第１光ファイバ１１を挿入しやすくなっている。また、第１光ファイバ１１をファイバ挿通部４６に挿入した状態では、第１及び第２保持部４４，４５が自身の弾性によって第１光ファイバ１１を幅方向Ｙに挟持しており、第１光ファイバ１１がファイバ挿通部４６から抜けにくくなっている。また、本実施形態では、ファイバ挿通部４６の第２保持凹部４６ｂの内面に設けられた圧接凸部４６ｃが第１光ファイバ１１の外周面に圧接するため、第１光ファイバ１１が更に抜けにくくなっている。また、このとき、第１光ファイバ１１をファイバ挿通部４６（スリット）の最奥部よりも更に奥まで挿入して、該光ファイバ１１の先端面を先端挿入穴４７の底面（前端面）と当接させる。
【００５５】
次に、第１光ファイバ１１を組み付けた第１反射部材４１をハウジング本体２２の第１収容部３３に圧入固定する。このとき、第１反射部材４１の第１側面４１ａ（幅方向Ｙの内側面）を第１基準面５１に当接させるとともに、第１反射部材４１の後端面を第２基準面５２に当接させながら、第１反射部材４１を第１収容部３３に圧入する。また、このとき、前記挿入工程において幅方向Ｙ外側に拡がった第２保持部４５は、外側面４５ｂが突起部５３ａと接触（圧接）されることによって、幅方向Ｙ内側に変形する。これにより、各保持部４４，４５の外側面４４ｂ，４５ｂが第１収容部３３の内側面と圧接され、その圧接の力が、各保持部４４，４５が第１光ファイバ１１を挟持する力に加重される。このようにして、第１光ファイバ１１の先端部が第１反射部材４１を介してハウジング本体２２の第１収容部３３に強固に固定されるようになっている。
【００５６】
なお、第１反射部材４１が第１収容部３３に収容された状態において、第１収容部３３の突起部５３ｃが第１反射部材４１の前端面４１ｆと圧接されている。これにより、第１反射部材４１が前後方向Ｘにおいても第１収容部３３の内側面と圧接されるため、第１反射部材４１が第１収容部３３により強固に固定される。
【００５７】
上記の組付態様は、第２光ファイバ１２及び第２反射部材４２においても同様である。従って、第２光ファイバ１２の先端部が第２反射部材４２を介してハウジング本体２２の第２収容部３４に強固に固定されるようになっている。
【００５８】
図３及び図６（ａ）（ｂ）に示すように、ハウジング本体２２の開口２２ａを塞ぐカバー２３は、ハウジング本体２２の第１及び第２延出部２５，２６の上方をそれぞれ覆う第１及び第２カバー側延出部６１，６２を有している。各カバー側延出部６１，６２の前端部には、各延出部２５，２６の前端部の被係止部２５ｂ，２６ｂにそれぞれ係止される係止部６３が形成されている。各係止部６３には、上方に突出して被係止部２５ｂ，２５ｂの下面と当接する突起６３ａが形成されている。
【００５９】
また、図３に示すように、カバー２３の後端部には、一対の係止片６４（図３では一方のみ図示）が下方に延出形成されている。各係止片６４は、ハウジング本体２２のベース部２４の後端部付近において厚さ方向Ｚに貫通形成された一対の挿通孔２４ａに挿通されるとともに、ハウジング本体２２（ベース部２４）に対して厚さ方向Ｚに係止されている。上記の係止部６３及び係止片６４の係止によって、カバー２３がハウジング本体２２に対して固定されている。なお、カバー２３の後端部には、下方に延出して各ファイバ収容溝３１，３２の後端部を塞ぐ一対の被覆部６５が形成されている（図６（ａ）も参照）。
【００６０】
図６（ａ）に示すように、カバー２３は、該カバー２３の下面（ハウジング本体２２の内部側の面）から下方にそれぞれ突出する第１突起６６、第２突起６７及び第３突起６８を有している。第１突起６６は、第１及び第２カバー側延出部６１，６２の下面にそれぞれ形成されている。各第１突起６６は、厚さ方向Ｚ視で円形をなしている。また、第２突起６７は、第１及び第２カバー側延出部６１，６２の後端部付近の下面にそれぞれ形成されている。各第２突起６７は、幅方向Ｙに沿って延びた形状をなしている。また、第３突起６８は、各固定部２７の間におけるカバー２３の下面に形成されている。第３突起６８は、幅方向Ｙに沿って延びた形状をなしている。また、第３突起６８は、ハウジング本体２２の各ファイバ収容溝３１，３２の上方に位置しており、各光ファイバ１１，１２の上方への移動を規制する。
【００６１】
図６（ｂ）に示すように、一方の第１突起６６は、第１反射部材４１（本体部４３）の上面４１ｃに対して厚さ方向Ｚに当接（もしくは僅かなクリアランスを介して対向）している。同様に、他方の第１突起６６は、第２反射部材４２の上面に対して厚さ方向Ｚに当接（もしくは僅かなクリアランスを介して対向）している。これら各第１突起６６によって、第１及び第２反射部材４１，４２の上方への移動が規制されるようになっている。
【００６２】
また、一方の第２突起６７は、第１延出部２５に形成された第１ファイバ収容溝３１の上方に位置している。そして、当該第２突起６７は、第１反射部材４１の後端部付近における第１光ファイバ１１に対し、僅かなクリアランスを介して厚さ方向Ｚに対向している。同様に、他方の第２突起６７は、第２延出部２６に形成された第２ファイバ収容溝３２の上方に位置し、第２反射部材４２の後端部付近における第２光ファイバ１２に対し、僅かなクリアランスを介して厚さ方向Ｚに対向している。これら各第２突起６７によって、第１及び第２反射部材４１，４２の後端部付近における第１及び第２光ファイバ１１，１２の上方への移動が規制されるようになっている。
【００６３】
なお、図７〜図１２は、本実施形態におけるファイバヘッド２０のハウジング２１（ハウジング本体２２及びカバー２３）を示す図である。図７はハウジング２１の斜視図、図８はハウジング２１の正面図、図９はハウジング２１の平面図、図１０はハウジング２１の底面図、図１１はハウジング２１の右側面図、図１２はハウジング２１の背面図である。なお、左側面図は右側面図と同一であるため、図示を省略している。図７〜図１２では、ハウジング本体２２の各延出部２５，２６の一部（前端部から前後方向の中間位置までの部分）、及び各カバー側延出部６１，６２の一部（同様に、前端部から前後方向の中間位置までの部分）を破線で示している。すなわち、各延出部２５，２６前端の被係止部２５ｂ，２６ｂ、各カバー側延出部６１，６２前端の係止部６３、及び、投光窓２５ａ及び受光窓２６ａの周辺構成を含む部分を破線で示している。また、カバー２３の各係止片６４、各係止片６４が挿通されるハウジング本体２２（ベース部２４）の挿通孔２４ａ、及び、ハウジング本体２２（ベース部２４）における各係止片６４が係止される部位を破線で示している。また、ハウジング２１の内部形状を破線で示している。上記した破線部分の形状は、任意に変更可能である。
【００６４】
次に、本実施形態の作用について説明する。
本実施形態のファイバヘッド２０では、第１延出部２５の投光窓２５ａと第２延出部２６の受光窓２６ａとの間に被検出物Ｗを検出する検出領域が設定されている。すなわち、コントローラ部１０の投光部１３から発せられた光は、第１光ファイバ１１及び第１反射部材４１を通じて第１延出部２５の内側の投光窓２５ａから出射される。そして、投光窓２５ａから出射された光は、該投光窓２５ａと対向する受光窓２６ａから第２延出部２６内に入り、第２反射部材４２及び第２光ファイバ１２を通じてコントローラ部１０の受光部１５で受光される。そして、制御回路１７は、受光回路１６から出力される受光信号のレベルを所定の閾値と比較することで、被検出物Ｗの有無を検出する。すなわち、第１延出部２５の投光窓２５ａと第２延出部２６の受光窓２６ａとの間に被検出物Ｗが有るときには、投光窓２５ａから出射された光が被検出物Ｗによって遮られるため、制御回路１７は被検出物Ｗが有る旨の検出結果を出力する。また、投光窓２５ａと受光窓２６ａとの間に被検出物Ｗが無いときには、投光部１３から発せられた光が各光ファイバ１１，１２を通じて受光部１５にて受光され、制御回路１７は被検出物Ｗが無い旨の検出結果を出力するようになっている。
【００６５】
次に、本実施形態の特徴的な効果を記載する。
（１）第１反射部材４１は、内部反射面４１ｅを有する本体部４３と、本体部４３から互いに同方向（後方）に延出され、各々の内側面４４ａ，４５ａが互いに対向する一対の保持部４４，４５と、一対の保持部４４，４５の間に形成されたファイバ挿通部４６とを備えている。ファイバ挿通部４６は、厚さ方向Ｚ（第１光ファイバ１１の軸直交方向）に貫通するとともに、各保持部４４，４５の延出先端（後端）の間に開放端を有するスリット状をなす。そして、各保持部４４，４５の外側面４４ｂ，４５ｂはハウジング本体２２に圧接されており、一対の保持部４４，４５は、ハウジング本体２２からの圧接の力によって、ファイバ挿通部４６に挿通された第１光ファイバ１１の先端部を挟持している。これにより、第１光ファイバ１１を第１反射部材４１を介してハウジング本体２２に強固に固定することが可能となり、その結果、ハウジング２１からの第１光ファイバ１１の抜けを抑制できる。また、第１収容部３３は、第１反射部材４１の各保持部４４，４５の延出先端面と当接する第２基準面５２（当接面）を有するため、第１反射部材４１の後方側への抜けを抑制できる。なお、本実施形態では第２反射部材４２も同様の構成を有しているため、上記と同様に、第２光ファイバ１２を第２反射部材４２を介してハウジング本体２２に強固に固定することが可能となり、その結果、ハウジング２１からの第２光ファイバ１２の抜けを抑制できる。
【００６６】
また、各光ファイバ１１，１２を強固に固定することが可能となることで、各光ファイバ１１，１２を接着剤無しでハウジング２１に固定することが可能となる。各光ファイバ１１，１２を接着剤を用いて固定する場合には、ファイバヘッド２０の小型化に伴い、接着剤の塗布量の調整が難しくなるため、小型化には不利となる。その点、接着剤無しでも各光ファイバ１１，１２を強固に固定できる本実施形態の構成は、ファイバヘッド２０の小型化に有利な構成と言える。
【００６７】
（２）ハウジング２１は、各光ファイバ１１，１２を収容し該各光ファイバ１１，１２を所定の経路に沿って保持する各ファイバ収容溝３１，３２を備え、各ファイバ収容溝３１，３２には、各光ファイバ１１，１２の外周面（被覆）に係止される係止凸部３５ａ，３６ａ，３７ａ，３８ａ，３８ｂが設けられている。この構成によれば、ハウジング２１からの各光ファイバ１１，１２の抜けをより一層抑制できる。
【００６８】
（３）各ファイバ収容溝３１，３２は、各光ファイバ１１，１２を屈曲させる第１及び第２屈曲部３７，３８を有する。そして、第１屈曲部３７に係止凸部３７ａが設けられ、第２屈曲部３８に係止凸部３８ａ，３８ｂが設けられる。この構成によれば、各光ファイバ１１，１２の引っ張り強度をより向上させることができ、その結果、ハウジング２１からの各光ファイバ１１，１２の抜けをより好適に抑制できる。また、この構成によれば、各光ファイバ１１，１２に対して係止凸部３７ａ，３８ａ，３８ｂを深く係止させなくても、各光ファイバ１１，１２の抜けに対する係止力（保持力）を確保することが可能となる。このため、係止凸部３７ａ，３８ａ，３８ｂによる各光ファイバ１１，１２の変形量を小さく抑えて各光ファイバ１１，１２を通る光の減衰を抑えつつ、各光ファイバ１１，１２の抜けを抑制できる。
【００６９】
（４）第１収容部３３には、第１反射部材４１における第１保持部４４の外側面４４ｂと圧接する平面状の第１基準面５１と、第２保持部４５の外側面４５ｂと圧接する突起部５３ａとが設けられている。この構成によれば、第１反射部材４１を第１収容部３３に収容する際に、第１保持部４４の外側面４４ｂを平面状の第１基準面５１に突き当てつつ、第２保持部４５の外側面４５ｂを突起部５３ａに圧接させることで、第１反射部材４１を第１収容部３３に好適に収容（圧入）することができる。なお、第２反射部材４２を収容する第２収容部３４も同様の構成を有しており、第２反射部材４２側でも同様の効果を奏する。
【００７０】
（５）第１基準面５１は、第１反射部材４１における投光窓２５ａと対向する側の側面（第１側面４１ａ）と当接するように構成される。この構成によれば、第１反射部材４１及び第１収容部３３の幅方向Ｙにおける寸法誤差は該収容部３３の突起部５３ａ，５３ｂにて吸収され、第１基準面５１と当接する第１反射部材４１の第１側面４１ａの幅方向Ｙにおける位置は寸法誤差によってずれにくくなっている。そして、本実施形態では、第１反射部材４１における投光窓２５ａと対向する第１側面４１ａ（光が通る側の側面）を第１基準面５１で位置決めでき、その結果、寸法誤差による検出精度の悪化を抑制することができる。なお、第２反射部材４２を収容する第２収容部３４も同様の構成を有しており、第２反射部材４２側でも同様の効果を奏する。
【００７１】
（６）第１反射部材４１における各保持部４４，４５の内側面４４ａ，４５ａには、ファイバ挿通部４６に挿通された第１光ファイバ１１の軸線Ｌを中心とする円弧状に窪む保持凹部４６ａ，４６ｂが設けられている。この構成によれば、保持凹部４６ａ，４６ｂによって第１光ファイバ１１を安定して保持することができる。なお、第２反射部材４２も同様の構成を有しており、同様の効果を奏する。
【００７２】
（７）第２保持部４５の第２保持凹部４６ｂには、前記軸線Ｌに向かって突出して第１光ファイバ１１と圧接される圧接凸部４６ｃが設けられている。このため、各保持部４４，４５によって第１光ファイバ１１をより強固に挟持することができる。また、第２保持部４５に設けられた第２保持凹部４６ｂに圧接凸部４６ｃを設けたことにより、圧接凸部４６ｃによって第１光ファイバ１１を第１基準面５１側（第１保持部４４側）に押し付けることができる。その結果、幅方向Ｙにおいて、第１光ファイバ１１を第１基準面５１に対して位置決めすることができる。なお、第２反射部材４２も同様の構成を有しており、同様の効果を奏する。
【００７３】
（８）ファイバ挿通部４６における開放端とは反対側の端部（前方側端部）には、第１光ファイバ１１の先端部が挿入され該第１光ファイバ１１の先端部の全周を囲う先端挿入穴４７が設けられている。この構成によれば、第１反射部材４１における第１光ファイバ１１の先端を保持する部位がスリット状ではなく、第１光ファイバ１１の全周を囲う穴として構成されるため、スリット状のファイバ挿通部４６の両側にて延出される第１及び第２保持部４４，４５の根元の破損を抑制することができる。なお、第２反射部材４２も同様の構成を有しており、同様の効果を奏する。
【００７４】
（９）カバー２３は、各反射部材４１，４２の厚さ方向Ｚ（上方）への移動を規制する第１の規制部としての各第１突起６６を備える。これにより、各反射部材４１，４２の厚さ方向Ｚの位置ずれを抑制できる。
【００７５】
（１０）カバー２３は、各ファイバ収容溝３１，３２に収容された各光ファイバ１１，１２の厚さ方向Ｚ（上方）への移動を規制する第２の規制部としての各第２突起６７及び第３突起６８を備える。これにより、各ファイバ収容溝３１，３２に収容された各光ファイバ１１，１２の厚さ方向Ｚの位置ずれを抑制できる。
【００７６】
（１１）第１反射部材４１を第１収容部３３に組み付ける前の状態において、該第１反射部材４１の第１及び第２保持部４４，４５は、自身の弾性によって第１光ファイバ１１の先端部を挟持可能に構成される。これにより、第１収容部３３に組み付ける前の状態の第１反射部材４１に対し、第１光ファイバ１１を仮固定することができ、組付性の向上に寄与できる。なお、第２反射部材４２も同様の構成を有しており、同様の効果を奏する。
【００７７】
なお、上記実施形態は、以下のように変更してもよい。
・上記実施形態の第１反射部材４１（及び第２反射部材４２）において、先端挿入穴４７を省略してもよい。この場合、第１光ファイバ１１（及び第２光ファイバ１２）の先端部は、ファイバ挿通部４６に対してその最奥部（前端部）と当接する位置まで挿入されることが好ましい。
【００７８】
・上記実施形態では、圧接凸部４６ｃを第１保持凹部４６ａ（第１保持部４４）に設けたが、これに限らず、圧接凸部４６ｃを第２保持凹部４６ｂ（第２保持部４５）に設けてもよい。また、第１及び第２保持凹部４６ａ，４６ｂの各々に圧接凸部４６ｃを設けてもよい。
【００７９】
・上記実施形態の第１及び第２保持部４４，４５において、第１及び第２保持凹部４６ａ，４６ｂを省略してもよい。
・上記実施形態では、第１収容部３３の幅方向Ｙ内側面に第１基準面５１が設けられ、該第１基準面５１が第１反射部材４１における投光窓２５ａと対向する側の側面（第１側面４１ａ）と当接するように構成されている。しかしながら、これに限らず、第１基準面５１を第１収容部３３の幅方向Ｙ外側面に設けて、該第１基準面５１が第１反射部材４１の第２側面４１ｂと当接するように構成してもよい。
【００８０】
・上記実施形態の第１収容部３３において、第１及び第２基準面５１，５２を突起部５３ａ，５３ｂ，５３ｃと同様の突起部に変更してもよい。
・上記実施形態では、第１反射部材４１は、第１光ファイバ１１から出射された光を直角に反射させて投光窓２５ａに導く。また、第２反射部材４２は、受光窓２６ａから入る光を直角に反射させて第２光ファイバ１２の先端部に導く。このように、各反射部材４１，４２は、第１光ファイバ１１から出射された光の光路、及び第２光ファイバ１２に入る光の光路を直角に変更させるが、各反射部材４１，４２による光路の変更角度（反射角度）は直角に限られるものではなく、構成に応じて適宜変更してもよい。
【００８１】
・上記実施形態では、第１反射部材４１の各保持部４４，４５自身の弾性によって第１光ファイバ１１を挟持する力が生じるように構成されたが、これに特に限定されるものではない。例えば、第１光ファイバ１１が各保持部４４，４５間のファイバ挿通部４６に遊嵌状態で挿入され、その状態の第１反射部材４１を第１収容部３３に圧入して初めて各保持部４４，４５による第１光ファイバ１１を挟持する力が生じるように構成してもよい。
【００８２】
・上記実施形態では、ファイバヘッド２０を透過型としたが、被検出物Ｗで反射した光の受光レベルに基づいて被検出物Ｗの有無を検出する反射型としてもよい。
・上記実施形態では、投光用の第１光ファイバ１１及び第１反射部材４１と、受光用の第２光ファイバ１２及び第２反射部材４２とが１つのハウジング２１に組み付けられ、投光及び受光の両方を行うタイプのファイバヘッド２０に適用したが、これに特に限定されるものではない。例えば、投光用の第１光ファイバ１１及び第１反射部材４１を備え、投光のみを行う投光ファイバヘッド、又は、受光用の第２光ファイバ１２及び第２反射部材４２を備え、受光のみを行う受光ファイバヘッドに適用してもよい。
【００８３】
・上記した実施形態並びに各変形例は適宜組み合わせてもよい。
【符号の説明】
【００８４】
１０…コントローラ部、１１…第１光ファイバ、１２…第２光ファイバ、１３…投光部、１５…受光部、１７…制御回路、２０…ファイバヘッド、２１…ハウジング、２２…ハウジングを構成するハウジング本体、２３…ハウジングを構成するカバー、２５ａ…投光窓（窓部）、２６ａ…受光窓（窓部）、３１…第１ファイバ収容溝（ファイバ収容部）、３２…第２ファイバ収容溝（ファイバ収容部）、３３…第１収容部（反射部材収容部）、３４…第１収容部（反射部材収容部）、３５ａ，３６ａ，３７ａ，３８ａ，３８ｂ…係止凸部、３７…第１屈曲部、３８…第２屈曲部、４１…第１反射部材、４１ａ…第１側面、４１ｅ…内部反射面、４２…第２反射部材、４３…本体部、４４…第１保持部、４５…第２保持部、４６…ファイバ挿通部、４６ａ…第１保持凹部、４６ｂ…第２保持凹部、４６ｃ…圧接凸部、４７…先端挿入穴、５１…第１基準面（基準面）、５２…第２基準面（当接面）、５３ａ…突起部、Ｌ…第１光ファイバの軸線、Ｗ…被検出物。
【図１】
2019012021.tif 000003
【図２】
2019012021.tif 000004
【図３】
2019012021.tif 000005
【図４】
2019012021.tif 000006
【図５】
2019012021.tif 000007
【図６】
2019012021.tif 000008
【図７】
2019012021.tif 000009
【図８】
2019012021.tif 000010
【図９】
2019012021.tif 000011
【図１０】
2019012021.tif 000012
【図１１】
2019012021.tif 000013
【図１２】
2019012021.tif 000014